【事件の表示】
　特許第３１８６０１５号「電気掃除機」の請求項１、２に係る特許に対する特許異議の申立てについて、次のとおり決定する。
【結　論】
　訂正を認める。
　特許第３１８６０１５号の請求項１ないし２に係る特許を取り消す。
【理　由】
〔１〕手続の経緯
　特許第3186015号の請求項１、２に係る発明についての出願は、平成７年３月15日に特許出願され、平成13年５月11日にその発明についての特許権の設定登録がされ、その後、その特許について、異議申立人三洋電機株式会社より特許異議の申立てがされ、平成14年４月26日に取消しの理由が通知され、その指定期間内である平成14年７月８日に訂正請求がされたものである。
　
〔２〕訂正の適否についての判断
ア．訂正の内容
　特許権者が求めている訂正の内容は、以下のａ〜ｃのとおりである。
　ａ特許請求の範囲の請求項１に記載される「電動送風機を収納したケース体と、このケース体の両側に設けられ、軸方向先端を閉塞するホイール部を有する略円筒状の軸部と、この軸部のホイール部に設けられ、前記電動送風機の排気側を外気に連通させる排気口と、前記軸部の外周に回転自在に設けられた環状の車輪部とを備えたことを特徴とした電気掃除機。」を
「電動送風機を収納したケース体と、このケース体の両側に設けられ、軸方向先端を閉塞
して前記ケース体の側壁を構成する
てこの外気へ排気風を排出する
　ｂ発明の詳細な説明中の段落【0006】の「請求項１記載の電気掃除機は、電動送風機を収納したケース体と、このケース体の両側に設けられ、軸方向先端を閉塞するホイール部を有する略円筒状の軸部と、この軸部のホイール部に設けられ、前記電動送風機の排気側を外気に連通させる排気口と、前記軸部の外周に回転自在に設けられた環状の車輪部とを備えたものである。」を
「請求項１記載の電気掃除機は、電動送風機を収納したケース体と、このケース体の両側に設けられ、軸方向先端を閉塞
して前記ケース体の側壁を構成する
てこの外気へ排気風を排出する
　ｃ特許3186015号の明細書の【0008】、【0044】の「小型計量化」を「小型軽量化」と訂正する。
　
イ．訂正の目的の適否、新規事項の有無及び拡張・変更の存否
　上記訂正ａは、「前記ケース体の側壁を構成する」こと及び「この外気へ排気風を排出する」ことを追加することであるから特許請求の範囲の減縮に該当する。
　そして、上記訂正ａの「前記ケース体の側壁を構成する」こと及び「この外気へ排気風を排出する」ことは、願書に添付した明細書の段落【0030】の「従動後輪15の排気口10および本体ケース２の排気口40から電気掃除機本体１外の外気へ排気風として排出される。」及び段落【0032】の「本体ケース２の側壁を従動後輪15の軸部６に設けた軸部６の先端を閉塞するホイール部９にて構成する」と記載されているところから、新規事項の追加に該当しない。
　上記訂正ｂは、上記訂正ａに伴って記載を整合させるためのものであるから、明りょうでない記載の釈明に該当し、新規事項の追加に該当しない。
　上記訂正ｃは、誤記の訂正に該当し、新規事項の追加に該当しない。
　そして、上記いずれの訂正も実質上特許請求の範囲を拡張し、又は変更するものでもない。
　
ウ．むすび
　以上のとおりであるから、上記訂正は特許法等の一部を改正する法律（平成６年法律第１１６条）附則第６条第１項の規定によりなお従前の例によるとされる、特許法第１２０条の４第３項において準用する平成第６年法律１１６号による改正前の特許法第１２６条第１項ただし書、第２項及び第３項の規定に適合するので、当該訂正を認める。
　
〔３〕特許異議の申立てについての判断
ア．本件発明１、２
　上記〔２〕で示したように上記訂正が認められるから、本件の請求項１，２に係る発明（以下、「本件発明１」、「本件発明２」という。）は、上記訂正に係る訂正明細書の特許請求の範囲の請求項１、２に記載された次の事項により特定されるとおりのものである。
「【請求項１】電動送風機を収納したケース体と、このケース体の両側に設けられ、軸方向先端を閉塞して前記ケース体の側壁を構成するホイール部を有する略円筒状の軸部と、この軸部のホイール部に設けられ、前記電動送風機の排気側を外気に連通させてこの外気へ排気風を排出する排気口と、前記軸部の外周に回転自在に設けられた環状の車輪部とを備えたことを特徴とした電気掃除機。
【請求項２】排気口を閉塞する通気性を有する排気フィルタを備えたことを特徴とした請求項１記載の電気掃除機。」
　
イ．引用刊行物に記載された発明　
　当審が平成14年４月26日付けで通知した取消しの理由で引用した刊行物（特開平5-42070号公報）には、電気掃除機に関し、図１〜５とともに、以下のような事項が記載されている。
(1)「ブロワモータや集塵袋などを内蔵すると共にホース、手元パイプ、延長パイプ及び床ブラシなどが接続される本体と、この本体に回転自在に取付けられた前車輪及び後車輪とを有する電気掃除機において、前記本体にその表面から突出した軸体を設け、この軸体の外周面より内側に雌ねじ座を複数個設け、前記軸体の外周面により後車輪を回転自在に支持し、前記後車輪との間に隙間をあけて後車輪の外側に配置されるホイールキャップを前記雌ねじ座と螺合するねじにより軸体に固定し、さらに軟質の弾性材からなり前記ねじをかくすカバーをホイールキャップに取り付けたことを特徴とする電気掃除機。…軸体の外周面より内側に本体の内外を貫通する排気口を設け、この排気口にフィルタを取付け、ホイールキャップの中央部にも排気を通す穴をあけたことを特徴とする請求項１記載の電気掃除機。」（特許請求の範囲の請求項１、２）
(2)「この発明に係る電気掃除機は、ブロワモータや集塵袋などを内蔵すると共にホース、手元パイプ、延長パイプ及び床ブラシなどが接続される本体と、この本体に回転自在に取付られた前車輪及び後車輪とを有するものにおいて、本体にその表面から突出した軸体を設け、この軸体の外周面より内側に雌ねじ座を複数個設け、軸体の外周面により後車輪を回転自在に支持し、後車輪との間に隙間をあけて後車輪の外側に配置されるホイールキャップを雌ねじ座と螺合するねじにより軸体を固定し、さらに軟質の弾性材からなりねじをかくすカバーをホイールキャップに取り付けたものである。また、上記発明において、軸体の外周面より内側に本体の内外を貫通する排気口を設け、この排気口にフィルタを取付け、ホイールキャップの中央部にも排気を通す穴をあけたものである。」
（段落【0006】）
(3)「軸体の外周面より内側に本体の内外を貫通する排気口を設け、ホイールキャップにも排気を通す穴をあけたから、後車輪を介して分散排気される。」（段落【0008】）
(4)「図１はこの発明の一実施例における後車輪を一部を断面して示した側面図である。図１において、後車輪７は、中間の平板部7a、平板部7aの先端を軟質材でおおった外周部7b及び中央部の軸受部7cからなっている。８は軸体で、本体４から突出して設けられ、円筒状をしており、後車輪７を軸受部7cを介して回転自在に支持する部分である。軸体８は軸受部7cの長さよりわずかに長い長さとなっている。９は雌ねじ座で、円筒状の軸体の内側に３箇所、本体４から突出して設けられている。…10はホイールキャップで、断面が図示のような形状をしており、雌ねじ座９と嵌合するねじ11によって軸体８に固定されている。このホイールキャップ10は後車輪７をカバーすると共に後車輪７の抜け止めの作用をするものである。後車輪７と対向する部分には隙間を設けてあるから、後車輪７は支障なく回転する。10aは平板部7aをカバーする部分、10bは後述するカバーを取付ける部分、10cは軸受部7cの抜け止め部である。」（段落【0009】、【0010】）
(5)「実施例２．図５はこの発明の他の実施例における後車輪の一部を断面した側面図で、15は軸体８の外周面より内側に本体の内外を貫通してあけられた排気口で、この排気口15にはフィルタ16が取付けてある。10fは穴で、ホイールキャップ10の凸部10eに複数個あけられている。この実施例は、排気口15から分散排気することにより総排気風量を大きくすることができる。矢印17は空気の流れを示し、排気口15、フィルタ16、ホイールキャップの穴10fを通り、さらにホイールキャップ10とカバー12との間のすき間を通って外部へ排出される。」（段落【0015】）
(6)「軸体の外周部より内側に本体の内外を貫通する排気口を設け、ホイールキャップにも排気を通す穴をあけたから、後車輪を介して分散排気される。従って、上記発明の効果に加えて、総排気量を大きくすることができる。」（段落【0017】）
　これらの記載事項によれば、引用刊行物には、以下のとおりの発明が記載されていると認められる。
「ブロワを内蔵する本体と、この本体の両側に設けられ、軸方向先端をホイールキャップにより閉塞した略円筒状の軸体と、この軸体のホイールキャップに設けられ、ブロワの排気側を外気に連通させてこの外気へ排気風を排出する穴と、前記軸体の外周に回転自在に設けられた環状の後車輪を備えた電気掃除機」（以下、「引用発明１」という。）
　および、「上記引用発明１において、排気口を閉塞する通気性を有する排気フィルタを備えた電気掃除機」（以下、「引用発明２」という。）
　
ウ．対比・判断
(1)本件発明１と引用発明１を対比すると、引用発明１の「ブロワ」、「本体」、「軸体」、「ホイールキャップ」、「穴」、「後車輪」は、その機能及び構造からみて、それぞれ本件発明１の「電動送風機」、「ケース体」、「軸部」、「ホイール部」、「排気口」、「車輪部」に相当するものと認められるから、
　両者は、
「電動送風機を収納したケース体と、このケース体の両側に設けられ、軸方向先端が閉塞された略円筒状の軸部と、この軸部のホイール部に設けられ、前記電動送風機の排気側を外気に連通させてこの外気へ排気風を排出する排気口と、前記軸部の外周に回転自在に設けられた環状の車輪部とを備えたことを特徴とした電気掃除機」の点で一致しており、
（Ａ）略円筒状の軸部の軸方向先端を閉塞するものが、前者においては、「前記ケース体の側壁を構成するホイール部」であるのに対して、後者は、「ホイールキャップ」である点で一応相違する。
　しかしながら、後者においてもホイールキャップが軸体の軸方向先端を閉塞することで、そのホイールキャップの閉塞部分がケース体の側壁を構成していると言えるから（なお、前者のホイール部について、特許請求の範囲にはケース体の側壁を構成するとあるだけでホイール部がケース体と一体であるかどうか等、詳細な形状、構造については特定されていない。）、もはや両者に差異を見出すことはできない。
　そうすると、本件発明１は、実質上引用刊行物に記載された発明である。
　
(2)本件発明２と引用発明２を対比すると、引用発明２の「フィルタ」は、その機能及び構造からみて、本件発明２の「排気フィルタ」に相当するものと認められるから、
　結局、上記（Ａ）点で一応相違し、その他の点で一致しているものと認められる。
　そして、（Ａ）点についての判断は、上述したとおりであるから、本件発明２は、実質上引用刊行物に記載された発明である。
　
〔４〕むすび
　以上のとおりであるから、本件発明１、２は、本願出願前頒布された上記引用刊行物に記載された発明であるから、本件発明１、２についての特許は、特許法第29条第１項第３号の規定により特許を受けることができない。
　したがって、本件発明１、２についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年７月２５日（２００２．７．２５）
【訂正の要旨】
　特許権者が求めている訂正の内容は、以下のａ〜ｃのとおりである。
　ａ特許請求の範囲の請求項１に記載される「電動送風機を収納したケース体と、このケース体の両側に設けられ、軸方向先端を閉塞するホイール部を有する略円筒状の軸部と、この軸部のホイール部に設けられ、前記電動送風機の排気側を外気に連通させる排気口と、前記軸部の外周に回転自在に設けられた環状の車輪部とを備えたことを特徴とした電気掃除機。」を
「電動送風機を収納したケース体と、このケース体の両側に設けられ、軸方向先端を閉塞
して前記ケース体の側壁を構成する
てこの外気へ排気風を排出する
　ｂ発明の詳細な説明中の段落【０００６】の「請求項１記載の電気掃除機は、電動送風機を収納したケース体と、このケース体の両側に設けられ、軸方向先端を閉塞するホイール部を有する略円筒状の軸部と、この軸部のホイール部に設けられ、前記電動送風機の排気側を外気に連通させる排気口と、前記軸部の外周に回転自在に設けられた環状の車輪部とを備えたものである。」を
「請求項１記載の電気掃除機は、電動送風機を収納したケース体と、このケース体の両側に設けられ、軸方向先端を閉塞
して前記ケース体の側壁を構成する
てこの外気へ排気風を排出する
　ｃ特許３１８６０１５号の明細書の【０００８】、【００４４】の「小型計量化」を「小型軽量化」と訂正する。
（５４）【発明の名称】
電気掃除機
（５７）【特許請求の範囲】
　【請求項１】　電動送風機を収納したケース体と、
　このケース体の両側に設けられ、軸方向先端を閉塞
して前記ケースの側壁を構成する
　この軸部のホイール部に設けられ、前記電動送風機の排気側を外気に連通させ
てこの外気へ排気風を排出する
　前記軸部の外周に回転自在に設けられた環状の車輪部と
　を備えたことを特徴とした電気掃除機。
　【請求項２】　排気口を閉塞する通気性を有する排気フィルタを備えた
　ことを特徴とした請求項１記載の電気掃除機。
【発明の詳細な説明】
　【０００１】
　【産業上の利用分野】
　本発明は、走行方向の両側に車輪部を回転自在に設けた電気掃除機に関する。
　【０００２】
　【従来の技術】
　従来、この種の電気掃除機としては、例えば図９に示す構造が知られている。
　【０００３】
　この図９に示す電気掃除機は、塵埃を集塵する負圧を発生させる図示しない電動送風機を収容するケース体７１に、走行に従い従動する一対の車輪部である走行輪７２を回転自在に軸支している。そして、これら走行輪７２，７２は、略円板状のホイール部７３の略中心に円筒状の軸部７４を突出形成している。また、ケース体７１の走行方向の両側壁７５に、側方に向かって円筒状に突出する軸受部７６を形成している。そして、ケース体７１の軸受部７６に走行輪７２の軸部７４を回転自在に嵌合して、走行輪７２を回転自在に軸支している。
　【０００４】
　【発明が解決しようとする課題】
　しかしながら、上記図９に示す電気掃除機において、ケース体７１の側壁７５に走行輪７２の軸部７４を軸支するため、この走行輪７２の近傍では、ケース体７１の側壁７５と走行輪７２のホイール部７３とにて二重構造となり、電気掃除機の幅方向の寸法が大きくなり、重量が増大して、掃除の際の取扱性が低下するとともに、コストが増大する問題もある。
　【０００５】
　本発明は、上記問題点に鑑みなされたもので、小型で軽量な電気掃除機を提供することを目的とする。
　【０００６】
　【課題を解決するための手段】
　請求項１記載の電気掃除機は、電動送風機を収納したケース体と、このケース体の両側に設けられ、軸方向先端を閉塞
して前記ケース体の側壁を構成する
てこの外気へ排気風を排出する
　【０００７】
　請求項２記載の電気掃除機は、請求項１記載の電気掃除機のおいて、排気口を閉塞する通気性を有する排気フィルタを備えたものである。
　【０００８】
　【作用】
　請求項１記載の電気掃除機は、電動送風機を収納したケース体の両側に、軸方向先端を閉塞するホイール部を有する略円筒状の軸部を設ける。そして、電動送風機の排気側を外気の連通させる排気口を軸部のホイール部に設け、また、軸部の外周に環状の車輪部を回転自在に設ける。この結果、軸部のホイール部の軸方向先端にてケース体の両側を閉塞して、ケース体の側壁を構成するので、小型
軽
　【０００９】
　請求項２記載の電気掃除機は、請求項１記載の電気掃除機において、通気性を有する排気フィルタで排気口を閉塞したので、この排気口を通過する際に消音効果が得られる。
　【００１０】
　【実施例】
　以下、本発明の電気掃除機の一実施例を図面を参照して説明する。
　【００１１】
　図１ないし図３において、１は電気掃除機本体で、この電気掃除機本体１は、上面を開口した下部ケース２ａ、および、この下部ケース２ａの後部上面を閉塞する上部ケース２ｂとからなり前側上面部を開口したケース体としての本体ケース２と、この本体ケース２の前側上面部の開口を開閉自在に閉塞する蓋体３とからなっている。また、本体ケース２は、前側下面に旋回自在の旋回輪４が取り付けられている。
　【００１２】
　また、本体ケース２の走行方向の両側面の後側には、このケース体２の走行方向と交差する方向である走行方向に直交方向に中心軸を有した略円筒状の軸部６が一体的に設けられている。さらに、軸部６の先端周縁には、径方向の外方に向けて径大となるように突出する爪部７が複数設けられている。なお、爪部７は、軸部６の先端方向に向けて径小となるようにテーパ面８が設けられている。また、軸部６の先端には、軸部６の軸方向先端を閉塞する板状のホイール部９が一体的に設けられ、このホイール部９には排気口１０が複数開口形成され、ホイール部９の内面側には排気口１０を閉塞する通気性を有し消音効果が付与された排気フィルタ１１が設けられている。
　【００１３】
　そして、この軸部６の外周面には、環状の例えば硬質ゴムなどからなる車輪部１３が内周縁が爪部７に係止されて回転自在に嵌合されている。なお、この車輪部１３の嵌合は、車輪部１３の内周縁を爪部７のテーパ面８に当接させ、このテーパ面８にて車輪部１３を拡径させるように弾性変形させて軸部６に嵌め込むようにする。また、車輪部１３と軸部６の外周面との間には、車輪部１３が軸部６に対して円滑に回転するように、潤滑材１４が設けられている。なお、この潤滑材１４は、グリースなどの半固形、シート状などいずれのものでもできる。そして、この車輪部１３と本体ケース２に一体的に設けた軸部６とにて走行輪としての従動後輪１５が本体ケース２の走行方向の両側後部に一対構成されている。
　【００１４】
　一方、電気掃除機本体１内には、格子状の連通口１６を有する隔壁１７により、上方が開放された集塵室１８が、電気掃除機本体１の進行方向の前側に区画形成されているとともに、この集塵室１８の後方に従動後輪１５の軸部６の内周に連通する電動送風機室１９が区画形成されている。そして、集塵室１８内には、この集塵室１８内に枢着されたホルダ２１により集塵袋２２が着脱自在に装着されている。
　【００１５】
　また、隔壁１７の前面には、その連通口１６を覆う補助集塵フィルタ２３が着脱自在に装着されている。なお、これら集塵袋２２および補助集塵フィルタ２３は、集塵室１８の上面開口を介して着脱される。
　【００１６】
　一方、電動送風機室１９内には、電動送風機２５が配設されている。この電動送風機２５は、図示しない例えばファンを軸にて回転駆動する電動部２６と、ファンを覆うファンカバー２７とからなっている。このファンカバー２７の前面中央部には吸気口２８が開口形成され、電動部２６のフレームには図示しない排気口が開口形成されている。
　【００１７】
　また、電動送風機２５の前端部には、前端の外周縁に環状のゴム製支持体３１が嵌合され、後端部にはゴム製の緩衝体３２が取り付けられている。
　【００１８】
　一方、上部ケース２ｂの下面には、下方に向かって突出し、下端部がファンカバー２７の外周面に沿って凹弧状に形成された上リブ前部３４、および、この上リブ前部３４より後方に位置して略平行に下方に向かって突出し、下端部が電動部２６の後端部の外周面に沿って凹弧状に形成された上リブ後部３５をそれぞれ突出形成している。
　【００１９】
　さらに、下部ケース２ａの上面には、上リブ前部３４および上リブ後部３５に向かってそれぞれ対向して上方に向けて突出し、上端部がファンカバー２７の外周面に沿って凹弧状に形成された下リブ前部３６、および、上端部が電動部２６の後端部の外周面に沿って凹弧状に形成された下リブ後部３７をそれぞれ突出形成している。
　【００２０】
　そして、電動送風機２５の後端部を覆うように取り付けられた緩衝体３２が、上下リブ後部３５，３７の先端にて挟持され、電動送風機２５の後端部が緩衝体３２を介して上下リブ後部３５，３７にて挟持固定され、上下リブ前部３４，３６にて電動送風機２５の前端部に嵌合する環状のゴム製支持体３１の外周面が挟持固定され、電動送風機２５の前端部をゴム製支持体３１を介して上下リブ前部３４，３６にて挟持固定されている。
　【００２１】
　なお、電動送風機２５の前端側はゴム製支持体３１により、電動送風機２５の吸気口２８が空気とともに吸引した塵埃を集塵する集塵袋２２を設けた集塵室１８に連通口１６を介して気密に連通している。
　【００２２】
　また、電気掃除機本体１内には、電動送風機室１９の後方に位置して、排気室３９が区画形成され、電気掃除機本体１の上部ケース２ｂの外側後上面部には、排気室３９を介して電動送風機２５の排気口に連通する排気口４０が開口形成されている。
　【００２３】
　さらに、電気掃除機本体１内には、電動送風機室１９の走行方向の左側に位置して、図示しないドラム室が区画形成され、このドラム室内には電動送風機２５に電力を供給する電源コードが巻回されるドラム体が設けられている。
　【００２４】
　また、本体ケース２の前側略中央には、吸込部４１が設けられ、この吸込部４１は内側開口４２と外側開口４３とが相対向させて形成されている。また、内側開口４２および外側開口４３に対向する中間には、円筒形状の吸込口４４が形成されている。この吸込口４４は、前部が電気掃除機本体１の前方へ開口しているとともに、後部が集塵室１８へ開口している。
　【００２５】
　一方、蓋体３は、上部ケース２ｂに後端部が枢着されており、集塵室１８を上方から開閉自在に覆うものである。
　【００２６】
　次に、上記実施例の動作について説明する。
　【００２７】
　通常の掃除時には、蓋体３を閉じておき、図示しないドラム体より引き出された電源コードより電力を供給し、吸込口４４にホースを接続して掃除を行なう。電源コードより供給される電力で電動送風機２５を駆動させ、この駆動によりホースを介して吸込口４４から空気とともに塵埃が吸い込まれ、電気掃除機本体１の集塵室１８に導かれて、集塵袋２２内に捕捉される。
　【００２８】
　そして、この集塵袋２２により濾過された空気は、補助集塵フィルタ２３、連通口１６、電動送風機２５の吸気口２８、電動送風機２５内、この電動送風機２５の排気口、従動後輪１５の軸部６内または排気室３９を順次通って、従動後輪１５の排気口１０および本体ケース２の排気口４０から電気掃除機本体１外の外気へ排気風として排出される。
　【００２９】
　なお、掃除終了後の電気掃除機本体１の収納にあたっては、ドラム体を回転させて電源コードを巻回して収納し、ホースを取り外し収納する。
　【００３０】
　上記実施例によれば、本体ケース２の側壁を従動後輪１５の軸部６に設けた軸部６の先端を閉塞するホイール部９にて構成するため、従来の電気掃除機の従動後輪と本体ケースの側壁との二重構造をなくすことができ、本体ケース２を小型軽量化でき、製造性が向上するとともに、コストを低減できる。
　【００３１】
　ところで、家具の上部などの高い位置を掃除する場合には、図４に示すように、電気掃除機本体１を走行方向の後部を床面に対向させるように立位状態にして掃除を行う。この際、本体ケース２の後部に設けた排気口４０が床面にて閉塞されるが、排気風は、従動後輪１５の軸部６内を通ってホイール部９に開口する排気口１０から排気されるため、本体ケース２の排気口４０の閉塞による掃除効率の低下を防止できる。さらに、排気開口の面積を大きくすることができるため、排気抵抗を低減でき、掃除効率を向上できる。
　【００３２】
　なお、上記図１ないし図４に示す実施例において、本体ケース２の後部に排気口４０を設けるとともに、従動後輪１５のホイール部９に排気口１０を設けて説明したが、いずれか一方にのみ設けてもできる。なお、本体ケース２の後部に排気口４０を設けない場合には、本体ケース２の後部の強度が向上するため、補強のためのリブなどを設ける必要がなくなり、さらに小型軽量化が図れるとともに、製造性が向上し、コストも低減できる。
　【００３３】
　次に、本発明の電気掃除機の他の実施例を図５および図６を参照して説明する。
　【００３４】
　図５および図６に示す実施例は、図１ないし図４に示す実施例の本体ケース２に設けた軸部６の先端にホイール部９を設けずに開口させる。さらに、車輪部５１を、軸部５２の径寸法より径大の略円板状のホイール部５３と、このホイール部５３の周縁にホイール部５３の一面側に肉厚に膨出形成されたタイヤ部５４と、このタイヤ部５４の内周面に中心に向けてリング状に突出し先端が軸部５２の外周面に摺動自在に当接するフランジ部５５とから構成する。そして、フランジ部５５を軸部５２に嵌合させることにより車輪部５１を軸部５２に回転自在に嵌合軸支することにより、車輪部５１と軸部５２とにて走行輪としての従動後輪５６を本体ケース２の走行方向の両側後部に一対構成している。
　【００３５】
　また、車輪部５１のホイール部５３には、排気口１０が複数開口形成されている。さらに、このホイール部５３のタイヤ部５４が膨出する側である内面側には、排気口１０を閉塞する通気性を有し消音効果が付与された排気フィルタ１１が設けられている。
　【００３６】
　そしてさらに、ホイール部５３の内面側には、軸部５２の先端縁が摺動自在に係合する案内溝部５７が周方向に沿って設けられ、車輪部５１を軸部５２に回転自在に軸支した際に、軸部５２の先端縁が案内溝部５７に係合し、車輪部５１の回転を円滑に案内するようになっている。
　【００３７】
　この図５および図６に示す実施例によれば、図１ないし図４に示す実施例と同様に、本体ケース２の側壁を従動後輪５６の車輪部５１のホイール部５３にて構成するため、従来の電気掃除機の従動後輪と本体ケースの側壁との二重構造をなくすことができ、本体ケース２を小型軽量化でき、製造性が向上するとともに、コストを低減できる。さらに、本体ケース２の排気口４０を閉塞されても、排気風は従動後輪５６の軸部５２内を通ってホイール部５３に開口する排気口１０から排気されるため、本体ケース２の排気口４０の閉塞による掃除効率の低下を防止できるとともに、排気口１０，４０の開口面積が増大して、排気抵抗を低減でき、掃除効率を向上できる。
　【００３８】
　次に、本発明の電気掃除機のさらに他の実施例を図７および図８を参照して説明する。
　【００３９】
　図７および図８に示す実施例は、図５および図６に示す実施例の軸部５２の外周面に、潤滑材１４の代わりにローラ６１を複数設けたものである。
　【００４０】
　すなわち、図７および図８に示す実施例は、軸部６２の外周面に径方向の外方に向けて開口する凹状のハウジング部６３を複数設ける。また、略円柱状の車輪６４の中心軸に位置して軸方向の両端部に軸方向に沿って突出するシャフト６５を設けてローラ６１を形成し、このローラ６１の中心軸が軸部６２の軸方向に沿い、かつ、ローラ６１の外周面が軸部６２の外周面より突出するようにハウジング部６３内に回転自在に軸支する。
　【００４１】
　そして、車輪部５１のフランジ部５５を軸部６２に嵌合させてフランジ部５５の先端をローラ６１の外周面に当接させ、ローラ６１にて車輪部５１を軸部６２に回転自在に嵌合軸支し走行輪としての従動後輪６７を構成している。
　【００４２】
　この図７および図８に示す実施例によれば、図５および図６に示す実施例と同様に、本体ケース２の側壁を従動後輪６７の車輪部５１のホイール部５３にて構成するため、従来の電気掃除機の従動後輪と本体ケースの側壁との二重構造をなくすことができ、本体ケース２を小型軽量化でき、製造性が向上するとともに、コストを低減できる。さらに、本体ケース２の排気口４０を閉塞されても、排気風は従動後輪６７の軸部６２内を通ってホイール部５３に開口する排気口１０から排気されるため、本体ケース２の排気口４０の閉塞による掃除効率の低下を防止できるとともに、排気口１０，４０の開口面積が増大し、排気抵抗を低減でき、掃除効率を向上できる。
　【００４３】
　また、従動後輪６７は、塵埃で汚れた床面上を走行するため塵埃が付着しやすく、この付着した塵埃がフランジ部５５と軸部６２との間に侵入するおそれがあるが、フランジ部５５と軸部６２とは摺動自在に接触せず、ローラ６１の回転により車輪部５１が回転自在となっているため、塵埃による軸部６２およびフランジ部５５の間の摩耗などが防止でき、円滑な車輪部５１の回転が得られる。
　【００４４】
　【発明の効果】
　請求項１記載の電気掃除機によれば、軸部のホイール部の軸方向先端でケース体の両側を閉塞して側壁を構成するので、小型
軽
　【００４５】
　請求項２記載の電気掃除機によれば、請求項１記載の電気掃除機の効果に加え、通気性を有する排気フィルタで排気口を閉塞すれば、この排気口を通過する際に消音できる。
【図面の簡単な説明】
　【図１】
　本発明の電気掃除機の一実施例を示す分解斜視図である。
　【図２】
　同上電気掃除機本体の走行輪近傍の断面図である。
　【図３】
　同上電気掃除機本体の断面図である。
　【図４】
　同上電気掃除機本体の立位状態での使用状況を示す説明図である。
　【図５】
　本発明の電気掃除機の他の実施例を示す分解斜視図である。
　【図６】
　同上電気掃除機本体の走行輪近傍の断面図である。
　【図７】
　本発明の電気掃除機のさらに他の実施例を示す分解斜視図である。
　【図８】
　同上電気掃除機本体の走行輪近傍の断面図である。
　【図９】
　従来の電気掃除機の一実施例を示す分解斜視図である。
　【符号の説明】
　　２　　ケース体としての本体ケース
　　６，５２，６２　　軸部
　　９，５３　　ホイール部
　１０　　排気口
　１１　　排気フィルタ
　１３，５１　　車輪部
　２５　　電動送風機